(57)【要約】      （修正有）【課題】植物油を主とする燃焼剤を植物原料からなる染料で染色した組成物で形成したキャンドルを提供する。【解決手段】植物性油の廃油を主たる燃料とし、植物原料からなる染料として染色に使用される藍スクモの藍染後に発生する廃藍スクモ、商品化に成らない屑ニンジン、スダチの搾りかす等を利用して、石油特有の臭いのない、煤が少なく、色鮮やかで環境にもやさしい、しかも燃焼剤が燃焼芯に着火後、点火前の色と異なる色に発色するノベルティなキャンドル等を提供するものである。【選択図】図１
0003149509.tif 000002
【実用新案登録請求の範囲】
【請求項１】
植物性油の廃油と植物原料からなる染料として廃藍スクモを混合加熱し、これを 濾過した液体に油凝固剤と適量の香料を投入撹拌し固めた燃焼剤からなるキャンドル
【請求項２】
上部に開口部を有する透明性の容器に請求項１の凝固前の燃焼剤を注入凝固し、燃焼剤に燃焼芯を埋設した事を特徴とするキャンドル
【請求項３】
複数個の燃焼芯を埋設した事を特徴とする請求項１、請求項２記載のキャンドル
【請求項４】
植物性油に新しい植物油を適用した事を特徴とする請求項１から請求項３記載のキャンドル
【請求項５】
植物原料からなる染料として藍スクモ、ニンジン、すだち、紫蘇の１つ以上を適用した事を特徴とする請求項１から請求項４記載のキャンドル
【請求項６】
燃焼芯の燃焼火炎が定常状態になったとき燃焼芯を中心に出来る液化した燃焼剤の池の外周円に接する範囲内に、少なくとも１つ以上の穴を開けた事を特徴とする請求項１から請求項５記載のキャンドル
【考案の詳細な説明】
【技術分野】
【０００１】
本考案は、植物油を主とする燃焼剤を植物原料からなる染料で染色した組成物で形成したキャンドルに関するものである。
【背景技術】
【０００２】
従来のキャンドルやロウソクは、主たる燃焼剤として固形パラフィンや植物油を使用し、化学物質からなる染料や顔料を配合、混合し、凝固したものが知られている。
【特許文献１】特開２００２―９７４９０
【特許文献２】特開２００３―２１３２９３
【特許文献３】特開平８―１５７８６４
【考案の開示】
【考案が解決しようとする課題】
【０００３】
しかしながら、近年、３Ｒ活動で知られているようにリユース、リサイクル、リデュース活動が盛んになり地球資源の有効活用が求められている。本考案はこの点に鑑み、資源を有効利用し、地球環境に優しく、石油特有の臭いのない、煤が少なく、色鮮やかで見栄えが良く、燃焼剤が着火後に使用前の色と異なる色を発色するノベルティなキャンドル等を提供するものである。
【課題を解決するための手段】
【０００４】
本考案は植物性油と植物原料からなる染料を混合加熱し、この液体を油凝固剤で固めた燃焼剤からなるキャンドルである。
植物性油としては、例えば菜種サラダ油、ひまわり油、あまに油、綿実油、ヒマシ油等がある。植物性の廃油は、例えば天ぷらや賞味期限の過ぎた油を回収してこれらを適用する。また、植物原料からなる染料は、染色に使用される藍スクモの藍染後に発生する廃藍スクモ、ニンジンの収穫・選別後に発生する商品に成らない屑ニンジン、スダチを搾った後に出来るスダチの搾りかす等を適用する。
染料として廃藍スクモや藍スクモを適用すれば、燃焼剤は常温では藍色を呈し、キャンドルの着火後は燃焼火炎の光に反応してピンク色または赤紫色を現出させることが出来る。
染料としてニンジン、すだち、紫蘇等を使用すれば、鮮やかな橙色、薄緑色、赤紫色を有する燃焼剤のキャンドルを得ることが出来る。
また、廃藍スクモ、藍スクモ、ニンジン、すだち、紫蘇の２つ以上を必要量に応じて混ぜ合わせることにより、色鮮やかな任意の色の燃焼剤のキャンドルを製作できる。
【考案の効果】
【０００５】
本考案の廃藍スクモ或いは藍スクモを染料として使用する事により、キャンドル本体の色は常温時には鮮やかな藍色を呈し、燃焼芯に着火後にはその燃焼火炎の光の作用でキャンドル本体の色がピンク色または赤紫色に発色する。燃焼炎が消えるとキャンドル本体は再び元の藍色に戻る。
また、廃藍スクモまたは藍スクモとニンジン、すだち、紫蘇を混ぜ合わせた場合は、ニンジン、すだち、紫蘇の色に藍色を混ぜた色になり、燃焼芯に着火後にはその燃焼火炎の光の作用でキャンドル本体の色が廃藍スクモもしくは藍スクモの混ぜ濃度に応じてピンク系色の混ざった色に発色する。燃焼火炎が消えるとキャンドル本体は再び元の色に戻る。
上述の様に、本考案のキャンドルは植物油の廃油、廃藍スクモ、スダチの搾りかす、屑ニンジン等、棄てられる物を再利用して製作しているので、地球資源の有効活用に役立ち、ひいては地球温暖化の抑制に貢献できる。
【考案を実施するための最良の形態】
【０００６】
以下、添付図面を参照しながら一実施例を説明する。図１は本発明に関わるキャンドル１の断面図、図２は斜視図であり、燃焼剤２は植物油の廃油１００（重量比率）に対し藍染に使用した後の廃藍スクモ５０〜８０（重量比率）を入れ、約１００〜２００℃に加熱する。その後、フィルターを通して廃藍スクモ塊等の異物を除去し、１００℃から８０℃に温度を下げた後、油凝固剤５〜１５（重量比率）、適量の香料を投入し攪拌する。
色合いは廃藍スクモの使用量や加熱時間によっても異なってくるため、濃い色にしたい場合は廃藍スクモの使用量を多めにするか加熱時間を長くすることで調整できる。逆に淡い色にしたい場合は廃藍スクモの使用量を少なめにするか加熱時間を短くする。
次に、燃焼剤２を所定の透明性の容器３に注入し、常温まで冷却し燃焼剤２を凝固させる。容器３上面の中央部すなわち凝固した燃焼剤２の表面中央部に細い棒状の物で穴を開け、燃焼芯５を差し込み燃焼剤２表面から１０ｍｍ程度を突出させて切り取りキャンドル１を完成させる。
【０００７】
次に本考案の他の実施例として、染料にニンジンを適用する場合について説明する。燃焼剤２の製造過程は廃藍スクモを適用した場合と同様であるが、ニンジンを廃油中に投入したとき油が飛び散る危険を避けるため、適度に乾燥し水分を除去したものを使う。乾燥し粉末状にして置けば、保存や使い勝手が良く使用量は１〜１０（重量比率）である。色合いは廃藍スクモの場合と同様で、ニンジンの使用量、加熱時間によって異なってくるため、濃い色にしたい場合はニンジンの使用量を多めにするか加熱時間を長くすることで調整できる。逆に淡い色にしたい場合はニンジンの使用量を少なめにするか加熱時間を短くすることで調整できる。
【０００８】
スダチ、紫蘇の場合もニンジンの場合と同様な方法でキャンドルを製作できる。また、藍スクモ、スダチ、ニンジン、紫蘇の２つ以上を適量使用することにより、これ等の中間色のキャンドルを製作することが出来る。
【０００９】
次に、複数個の燃焼芯５を埋設したキャンドルの例について図３を参照して説明する。２本の燃焼芯５は燃焼剤２の表面中央部に相互間距離を約5〜10mm離して埋設する。この場合、２つの燃焼芯５が燃焼したとき、お互いの炎がくっ付いて燃焼するので、１本の燃焼芯５を埋設した２個のキャンドルを使うより、愛を育む恋愛中のカップルや相互扶助の立場にある夫婦等が楽しめる。また、多人数の場合、例えば５人家族の場合は５本の燃焼芯５を燃焼剤２の表面中央部に相互間距離を約5〜10mm離し円形状に埋設する。この場合、５つの燃焼芯５が燃焼したとき、夫々の炎がくっ付いて円形を形どって燃焼するので、家族の一体感を象徴したい場面等に利用できる。
【００１０】
次に燃焼芯５の燃焼火炎４が定常状態になったとき燃焼芯５を中心に出来る液化した燃焼剤の池６の外周円７に接する範囲内に、少なくとも１つ以上の穴８を開けた例について説明する。これは、図４に示すように燃焼炎４を中心として円形状に燃焼剤２に穴８を開ける。
燃焼芯５が燃焼したとき燃焼剤２表面に燃焼火炎４を中心としてその周囲に液化した燃焼剤の池６が出来る。燃え始めの時は燃焼芯５が燃焼剤の池６表面から十分突出しているが、時間が経過するにつれ燃焼芯５が燃えてこの燃焼剤の池６表面からの突出が少なくなってくる。すると燃焼火炎４が小さくなりやがては消えてしまう。これを防止するため、燃焼剤の池６の外周円７に接する範囲内に、少なくとも１つ以上の穴８（直径5〜10mm）を開ける事により、液化した燃焼剤がこの穴８に流れ込み、燃焼剤の池６の深さが浅くなって、燃焼火炎４が当初の大きさを保つ事ができる。
【図面の簡単な説明】
【００１１】
【図１】本考案のキャンドルの一例を示す断面図
【図２】本考案のキャンドルの一例を示す斜視図
【図３】本考案のキャンドルの他の一例を示す斜視図
【図４】本考案のキャンドルの他の一例を示す平面図
【符号の説明】
【００１２】
１  キャンドル
２  燃焼剤
３  透明な容器 
４  燃焼炎
５  燃焼芯
６  燃焼剤の液化した池 
７  燃焼剤の液化した池の外周円 
８  穴 
【図１】
0003149509.tif 000003
【図２】
0003149509.tif 000004
【図３】
0003149509.tif 000005
【図４】
0003149509.tif 000006
【手続補正書】
【提出日】平成21年1月28日(2009.1.28)
【手続補正２】
【補正対象書類名】実用新案登録請求の範囲
【補正対象項目名】全文
【補正方法】変更
【補正の内容】
【実用新案登録請求の範囲】
【請求項１】
植物性油の廃油１００（重量比率）と植物原料からなる染料として廃藍スクモ５０〜８０（重量比率）を加熱混合し、これを濾過して油凝固剤５〜１５（重量比率）、適量の香料を投入撹拌した燃焼剤を上部に開口部を有する透明性の容器に容器上端より低位置まで注入凝固し、前記燃焼剤のほぼ中央部に燃焼芯の先端を約10ｍｍ突出させて埋設してなるキャンドル
【請求項２】
植物原料からなる染料として藍スクモ、ニンジン、すだち、紫蘇の１つ以上を適用した事を特徴とする請求項１記載のキャンドル
【請求項３】
植物性油に新しい植物油を適用した事を特徴とする請求項１または請求項２記載のキャンドル
【請求項４】
複数個の燃焼芯を夫々離して埋設した事を特徴とする請求項１から請求項３のいずれか１項に記載のキャンドル
【請求項５】
燃焼芯の燃焼火炎が定常状態になったとき燃焼芯を中心として出来る液化した燃焼剤池の外周円に接する範囲内に、少なくとも１つ以上の穴を開けた事を特徴とする請求項１から請求項４のいずれか１項に記載のキャンドル